(57)【要約】【課題】被切断物を保持部材に確実に保持して正確に切断することができる切断装置、及び切断装置に用いられる保持部材を提供する。【解決手段】切断装置は、被切断物を剥離可能に保持する粘着層を有し、被切断物を粘着させて保持した状態で前記切断装置にセットされる保持部材と、前記保持部材に設けられ、切断に関する切断情報が書き込まれた無線タグと、前記切断装置に前記保持部材がセットされた際に、前記無線タグから前記切断情報を読み取る読取手段とを備える。前記切断装置の制御手段は、前記読取手段により前記無線タグから前記切断情報を読み取る（ステップＳ１２）。そして、制御手段は、読み取った前記切断情報に基づいて切断手段を制御する（ステップＳ１８）。【選択図】図１５
2012213846.tif 000002
【特許請求の範囲】
【請求項１】
切断刃と被切断物とを相対的に移動させることで、前記切断刃により前記被切断物を切断する切断手段を備えた切断装置であって、
前記被切断物を剥離可能に保持する粘着層を有し、前記被切断物を粘着させて保持した状態で前記切断装置にセットされる保持部材と、
前記保持部材に設けられ、切断に関する情報である切断情報が書き込まれた無線タグと、
前記切断装置に前記保持部材がセットされた際に、前記無線タグから前記切断情報を読み取る読取手段と、
前記読取手段により前記無線タグから読み取った前記切断情報に基づいて、前記切断手段を制御する制御手段と、
を備えることを特徴とする切断装置。
【請求項２】
前記切断情報は、前記切断刃と前記被切断物との相対移動速度と、前記切断刃の前記被切断物に対する押圧力と、前記被切断物に対する前記切断刃の相対移動量を補正する補正量とのうち少なくとも１つを含むことを特徴とする請求項１記載の切断装置。
【請求項３】
前記切断情報は、所定の模様形状を切断するための形状データを含むことを特徴とする請求項１又は２記載の切断装置。
【請求項４】
前記切断情報は、前記被切断物に対して前記模様形状を配置する配置データを含むことを特徴とする請求項３記載の切断装置。
【請求項５】
前記切断情報は、前記被切断物に対して複数の前記模様形状を切断する場合、前記模様形状を切断する切断順序を特定する切断順序データを含むことを特徴とする請求項３又は４記載の切断装置。
【請求項６】
前記切断手段は、前記保持部材に保持された前記被切断物を押圧する押圧手段を備え、
前記切断情報は、前記押圧手段の押圧力を含むことを特徴とする請求項１から５の何れかに記載の切断装置。
【請求項７】
前記読取手段により前記無線タグから読み取った切断情報を更新するための設定手段と、
前記設定手段で更新された切断情報を前記無線タグに書き込むための書込手段とを備えることを特徴とする請求項１から６の何れかに記載の切断装置。
【請求項８】
前記無線タグは、前記保持部材に対して着脱可能に装着されていることを特徴とする請求項１から７の何れかに記載の切断装置。
【請求項９】
被切断物を切断する切断手段と、無線タグから切断情報を読み取る読取手段と、前記切断情報に基づいて前記切断手段を制御する制御手段とを備えた切断装置に用いられる保持部材であって、
前記被切断物を剥離可能に保持する粘着層と、
切断に関する情報である切断情報が書き込まれた無線タグと、
を備えることを特徴とする保持部材。
【請求項１０】
前記切断情報は、前記切断手段が有する切断刃と前記被切断物との相対移動速度と、前記切断刃の前記被切断物に対する押圧力と、前記被切断物に対する前記切断刃の相対移動量を補正する補正量とのうち少なくとも１つを含むことを特徴とする請求項９記載の保持部材。
【請求項１１】
前記切断情報は、所定の模様形状を切断するための形状データを含むことを特徴とする請求項９又は１０記載の保持部材。
【請求項１２】
前記切断情報は、前記被切断物に対して前記模様形状を配置する配置データを含むことを特徴とする請求項１１記載の保持部材。
【請求項１３】
前記切断情報は、前記被切断物に対して複数の前記模様形状を切断する場合、前記模様形状を切断する切断順序を特定する切断順序データを含むことを特徴とする請求項１１又は１２記載の保持部材。
【請求項１４】
前記切断装置は、前記保持部材に保持された前記被切断物を押圧する押圧手段を備え、
前記切断情報は、前記押圧手段の押圧力を含むことを特徴とする請求項９から１３の何れかに記載の保持部材。
【請求項１５】
前記無線タグは、前記保持部材に対して着脱可能に装着されていることを特徴とする請求項９から１４の何れかに記載の保持部材。
【発明の詳細な説明】
【技術分野】
【０００１】
本発明は、切断刃と被切断物とを相対的に移動させることで、切断刃が被切断物を切断する切断装置、及び切断装置に用いられる保持部材に関する。
【背景技術】
【０００２】
従来より、紙や樹脂等のシート状被切断物を自動的に切断するカッティングプロッタが知られている。前記カッティングプロッタは、前記被切断物を、駆動機構のローラで上下方向から挟んで第１方向へ移動させると共に、切断刃を有するキャリッジを前記第１方向と直交する第２方向へ移動させて被切断物を切断する。
【０００３】
この種のカッティングプロッタでは、前記被切断物の種類に応じて、切断刃の被切断物に対する相対移動速度、切断刃の押圧力等の動作条件が夫々設定できるものがある（例えば特許文献１参照）。具体的には、被切断物の上面に、当該被切断物の種別を示すバーコードを付しておき、前記キャリッジには、カッティングプロッタにセットされた被切断物のバーコードを読み取るセンサ部を設ける。そして、セットされた被切断物を切断する前に、センサ部がバーコードを読み取ることで被切断物の種類を検出し、その種類に応じた動作条件を設定する。
また、被切断物を、上面に粘着剤が塗布された粘着層を有するシート状部材（保持部材に相当）に貼り付け、そのシート状部材を第１方向に移動させて被切断物に対して切断を行うカッティングプロッタも公知である（例えば特許文献２参照）。
【先行技術文献】
【特許文献】
【０００４】
【特許文献１】特開２００５−２４６５６２号公報
【特許文献２】特開２００５−２０５５４１号公報
【発明の概要】
【発明が解決しようとする課題】
【０００５】
特許文献１のカッティングプロッタによれば、被切断物の種類を検出することで、その種類に応じた動作条件で切断を行うことができる。
また、特許文献１のカッティングプロッタに、特許文献２の保持部材を用いることも考えられる。この場合、被切断物の種類を検出し、その種類の応じた動作条件で切断を行うことができる。しかしながら、被切断物の種類に対して保持部材の粘着層の粘着力が不適切なときには、被切断物が確実に保持されず、切断動作中に保持部材からズレてしまう虞がある。このように、被切断物が保持部材に確実に保持できない場合には、被切断物を正確に切断することができない。
【０００６】
本発明は上記事情に鑑みてなされたものであり、その目的は、被切断物を保持部材に確実に保持して正確に切断することができる切断装置、及び切断装置に用いられる保持部材を提供することである。
【課題を解決するための手段】
【０００７】
上記した目的を達成するために、本発明の請求項１の切断装置は、切断刃と被切断物とを相対的に移動させることで、前記切断刃により前記被切断物を切断する切断手段を備えたものであって、前記被切断物を剥離可能に保持する粘着層を有し、前記被切断物を粘着させて保持した状態で前記切断装置にセットされる保持部材と、前記保持部材に設けられ、切断に関する情報である切断情報が書き込まれた無線タグと、前記切断装置に前記保持部材がセットされた際に、前記無線タグから前記切断情報を読み取る読取手段と、前記読取手段により前記無線タグから読み取った前記切断情報に基づいて、前記切断手段を制御する制御手段と、を備えることを特徴とする。
【０００８】
上記構成によれば、保持部材に設けられた無線タグに切断情報が書き込まれており、当該保持部材が切断装置にセットされたとき、読取手段が前記無線タグから切断情報を読み取る。そして、制御手段は、読取手段が読み取った切断情報に基づいて切断手段の制御を行う。従って、切断装置において、被切断物が確実に保持されず、切断動作中に保持部材からズレてしまうことが防止され、被切断物を正確に切断することができる。
【０００９】
請求項２の切断装置は、請求項１の発明において、前記切断情報は、前記切断刃と前記被切断物との相対移動速度と、前記切断刃の前記被切断物に対する押圧力と、前記被切断物に対する前記切断刃の相対移動量を補正する補正量とのうち少なくとも１つを含むことを特徴とする。
請求項３の切断装置は、請求項１又は２の発明において、前記切断情報は、所定の模様形状を切断するための形状データを含むことを特徴とする。
【００１０】
請求項４の切断装置は、請求項３の発明において、前記切断情報は、前記被切断物に対して前記模様形状を配置する配置データを含むことを特徴とする。
請求項５の切断装置は、請求項３又は４の発明において、前記切断情報は、前記被切断物に対して複数の前記模様形状を切断する場合、前記模様形状を切断する切断順序を特定する切断順序データを含むことを特徴とする。
【００１１】
請求項６の切断装置は、請求項１から５の何れかの発明において、前記切断手段は、前記保持部材に保持された前記被切断物を押圧する押圧手段を備え、前記切断情報は、前記押圧手段の押圧力を含むことを特徴とする。
請求項７の切断装置は、請求項１から６の何れかの発明において、前記読取手段により前記無線タグから読み取った切断情報を更新するための設定手段と、前記設定手段で更新された切断情報を前記無線タグに書き込むための書込手段とを備えることを特徴とする。
請求項８の切断装置は、請求項１から７の何れかの発明において、前記無線タグは、前記保持部材に対して着脱可能に装着されていることを特徴とする。
【００１２】
請求項９の保持部材は、被切断物を切断する切断手段と、無線タグから切断情報を読み取る読取手段と、前記切断情報に基づいて前記切断手段を制御する制御手段とを備えた切断装置に用いられる保持部材であって、前記被切断物を剥離可能に保持する粘着層と、切断に関する情報である切断情報が書き込まれた無線タグと、を備えることを特徴とする。
上記構成によれば、保持部材の無線タグに書き込まれた切断情報は、当該保持部材を切断装置にセットすることで、読取手段によって読み取られる。これにより、切断装置では、読取手段で読み取った切断情報に基づいて制御手段による切断手段の制御が行われ、被切断物を正確に切断することができる。
【００１３】
請求項１０の保持部材は、請求項９の発明において、前記切断情報は、前記切断手段が有する切断刃と前記被切断物との相対移動速度と、前記切断刃の前記被切断物に対する押圧力と、前記被切断物に対する前記切断刃の相対移動量を補正する補正量とのうち少なくとも１つを含むことを特徴とする。
請求項１１の保持部材は、請求項９又は１０の発明において、前記切断情報は、所定の模様形状を切断するための形状データを含むことを特徴とする。
【００１４】
請求項１２の保持部材は、請求項１１の発明において、前記切断情報は、前記被切断物に対して前記模様形状を配置する配置データを含むことを特徴とする。
請求項１３の保持部材は、請求項１１又は１２の発明において、前記切断情報は、前記被切断物に対して複数の前記模様形状を切断する場合、前記模様形状を切断する切断順序を特定する切断順序データを含むことを特徴とする。
【００１５】
請求項１４の保持部材は、請求項９から１３の何れかの発明において、前記切断装置は、前記保持部材に保持された前記被切断物を押圧する押圧手段を備え、前記切断情報は、前記押圧手段の押圧力を含むことを特徴とする。
請求項１５の保持部材は、請求項９から１４の何れかの発明において、前記無線タグは、前記保持部材に対して着脱可能に装着されていることを特徴とする。
【発明の効果】
【００１６】
請求項１の切断装置によれば、保持部材に設けられた無線タグに切断情報が書き込まれており、当該保持部材が切断装置にセットされたとき、読取手段が前記無線タグから切断情報を読み取る。そして、制御手段は、読取手段が読み取った切断情報に基づいて切断手段の制御を行う。従って、被切断物が確実に保持されずに切断動作中に保持部材からズレてしまうことが防止され、被切断物を正確に切断することができる。
【００１７】
請求項２の切断装置によれば、請求項１に記載の発明の効果に加え、切断情報は、切断刃と被切断物との相対移動速度、切断刃の被切断物に対する押圧力、及び被切断物に対する切断刃の相対移動量を補正する補正量のうち少なくとも１つを含んでいる。従って、これら少なくとも１つの切断情報に基づいて、制御手段が切断手段を適切に制御して、被切断物を確実に切断することができる。また、これらの切断情報を、切断装置に対しユーザが入力する必要がないので、利便性を向上させることができる。
請求項３の切断装置によれば、請求項１又は２に記載の発明の効果に加え、無線タグから読み取った形状データに基づき模様形状が切断されるため、切断装置に対して形状データを入力し、或は設定する手間を省くことができる。また、保持部材毎に、同じ模様形状を繰り返し切断することができ、使い勝手のよいものとすることができる。
【００１８】
請求項４の切断装置によれば、請求項３に記載の発明の効果に加え、無線タグから読み取った配置データに基づき被切断物に対する模様形状の配置が決定される。このため、切断装置に対して配置データを入力することなく、被切断物の大きさに応じた切断可能領域内で模様形状を切断することができる。
請求項５の切断装置によれば、請求項３又は４に記載の発明の効果に加え、無線タグから読み取った切断順序データに基づいて、複数の模様形状を切断する場合の切断順序が特定される。このため、無線タグに、複数の模様形状の効率的な切断順序を予め書き込むことで、切断装置に切断順序データを入力する手間を省くことができると共に、切断時間を短縮することが可能となる。
【００１９】
請求項６の切断装置によれば、請求項１から５までの何れかの発明の効果に加え、押圧手段によって、保持部材に保持された被切断物を押圧することができる。更に、切断情報は押圧手段の押圧力を含んでいるので、保持部ごとに押圧手段の押圧力を設定することができる。従って、切断動作中において、被切断物が保持部材からズレないように、被切断物をより確実に保持することができる。
請求項７の切断装置によれば、請求項１から６の何れかに記載の発明の効果に加え、無線タグから読み取った切断情報を更新することができる。従って、実際に切断する被切断物の材質特性に応じて、切断情報を更新して切断を行うことができる。また、無線タグに、更新した切断情報を書き込むことができるので、次回以降も更新した切断情報に基づいて、被切断物を確実に切断することができる。
請求項８の切断装置によれば、請求項１から７の何れかに記載の発明の効果に加え、無線タグを保持部材に対して着脱可能に装着できる。従って、無線タグを別の保持部材に付け替えて繰り返し使用することができる。
【００２０】
請求項９の保持部材によれば、無線タグに書き込まれた切断情報は、当該保持部材を切断装置にセットすることで、読取手段によって読み取られる。これにより、切断装置では、読取手段で読み取った切断情報に基づいて制御手段による切断手段の制御が行われ、被切断物を正確に切断することができる。
【００２１】
請求項１０の保持部材によれば、請求項９に記載の発明の効果に加え、保持部材により保持した被切断物を切断装置で切断することで、請求項２の発明の効果と同様の効果を奏する。
請求項１１の保持部材によれば、請求項９又は１０に記載の発明の効果に加え、保持部材により保持した被切断物を切断装置で切断することで、請求項３の発明の効果と同様の効果を奏する。
請求項１２の保持部材によれば、請求項１１に記載の発明の効果に加え、保持部材により保持した被切断物を切断装置で切断することで、請求項４の発明の効果と同様の効果を奏する。
【００２２】
請求項１３の保持部材によれば、請求項１１又は１２に記載の発明の効果に加え、保持部材により保持した被切断物を切断装置で切断することで、請求項５の発明の効果と同様の効果を奏する。
請求項１４の保持部材によれば、請求項９から１３の何れかに記載の発明の効果に加え、保持部材により保持した被切断物を切断装置で切断することで、請求項６の発明の効果と同様の効果を奏する。
請求項１５の保持部材によれば、請求項９から１４の何れかに記載の発明の効果に加え、保持部材により保持した被切断物を切断装置で切断することで、請求項８の発明の効果と同様の効果を奏する。
【図面の簡単な説明】
【００２３】
【図１】本発明の第１実施形態における切断装置の内部構造を示す斜視図
【図２】切断装置の平面図
【図３】カッタホルダの斜視図
【図４】カッタを下降させた状態で示すカッタホルダの正面図
【図５】カッタを上昇させた状態で示すカッタホルダの断面図
【図６】図４のVI−VI線に沿う断面図
【図７】ギヤ部を拡大して示す正面図
【図８】切断時におけるカッタ先端の近傍部の拡大図
【図９】切断時におけるカッタホルダ近傍部の側面図
【図１０】電気的構成を示すブロック図
【図１１】（ａ）及び（ｂ）は複数種類の保持部材を説明するための図
【図１２】切断装置のＲＡＭの記憶領域を説明するための概念図
【図１３】保持シートの種類と切断パラメータを対応付けて示す図
【図１４】（ａ）は無線タグの電気的構成の概略を示すブロック図、（ｂ）は無線タグのメモリ部の記憶領域を説明するための概念図
【図１５】無線タグの切断パラメータに基づき切断を行う場合における全体の処理の流れを示すフローチャート
【図１６】無線タグの切断パラメータを読み取る際の処理の流れを示すフローチャート
【図１７】本発明の第２実施形態を示す図１４（ｂ）相当図
【図１８】（ａ）は形状データに基づき切断される模様形状と共に示す図１１（ａ）相当図、（ｂ）及び（ｃ）は、正方形及び台形の模様形状を拡大して示す図
【図１９】複数の形状データを含む全体データの構造を説明するための図
【図２０】無線タグの形状データに係る切断情報に基づき切断を行う場合における図１５相当図
【図２１】図１６相当図
【発明を実施するための形態】
【００２４】
＜第１実施形態＞
以下、本発明の第１実施形態について、図１〜図１６を参照しながら説明する。
図１に示すように、切断装置１は、筐体としての本体カバー２と、本体カバー２内に配設されたプラテン３と、カッタホルダ５とを備えると共に、カッタホルダ５のカッタ４（図５参照）と被切断物６とを相対的に移動させるための第１及び第２移動手段７，８を備えている。本体カバー２は横長な矩形箱状をなしており、前面部には、プラテン３上面部に被切断物６を保持した保持シート１０をセットするための横長な開口部２ａが形成されている。尚、以下の説明では、切断装置１に対しユーザが位置する側を前方とし、その反対側を後方とする。そして、前後方向をＹ方向とし、Ｙ方向と直交する左右方向をＸ方向とする。
【００２５】
本体カバー２の右側には、ユーザに対して必要なメッセージ等の表示を行う表示手段としての液晶ディスプレイ（ＬＣＤ）９が設けられると共に、ユーザが各種の指示や選択、入力の操作を行うための複数の操作スイッチ６５（図１０参照）が設けられている。
前記プラテン３は、前後一対の板材３ａ，３ｂからなり、上面部が水平面たるＸＹ平面をなすように構成されている。プラテン３には、被切断物６を保持する保持シート１０が載置されるようにセットされ、被切断物６の切断の際、保持シート１０をプラテン３で受ける。詳しくは後述するが、保持シート１０の上面には、左縁部１０ｂ，右縁部１０ｃ及び後縁部１０ｄ，前縁部１０ｅを除いた部分に粘着剤が塗布された粘着層１０ａが形成されている。被切断物６は、保持シート１０の粘着層１０ａに貼り付けられて保持される。
【００２６】
前記第１移動手段７は、プラテン３の上面側で保持シート１０をＹ方向（第１方向）へ移動させるものである。即ち、切断装置１における左右の側壁部１１ａ，１１ｂには、プラテン３の板材３ａ，３ｂの間に位置させて、駆動ローラ１２とピンチローラ１３が設けられている。駆動ローラ１２とピンチローラ１３は、Ｘ方向に延びて、側壁部１１ａ，１１ｂに対して回動可能に支持されている。また、駆動ローラ１２とピンチローラ１３は、前記ＸＹ平面に対して平行で、且つ上下方向に並ぶように配置されている。下側が駆動ローラ１２で、上側がピンチローラ１３である。図２に示すように、右側壁部１１ｂには、駆動ローラ１２の右側に位置させて、クランク状の第１取付フレーム１４が設けられている。取付フレーム１４の外側には、Ｙ軸モータ１５が固定されている。Ｙ軸モータ１５は例えばステッピングモータから構成され、回転軸１５ａは第１取付フレーム１４を貫通しており、先端部にギヤ部１６ａを有する。駆動ローラ１２の右端部には、ギヤ部１６ａと噛合するギヤ部１６ｂが固着されており、これらギヤ部１６ａ、１６ｂにより第１減速ギヤ機構１６が構成されている。前記ピンチローラ１３は、左右の側壁部１１ａ，１１ｂに形成されたガイド溝１７ｂ（図１に右側の溝１７ｂのみ図示）により上下方向へ移動可能にガイドされている。左右の側壁部１１ａ，１１ｂには、ガイド溝１７ｂを外側から囲うバネ収容部１８ａ，１８ｂが夫々設けられている。ピンチローラ１３は、バネ収容部１８ａ，１８ｂに収容された図示しない圧縮コイルバネにより下方へ付勢されている。ピンチローラ１３には、保持シート１０の左縁部１０ｂ，右縁部１０ｃに接触して押圧する押圧部１３ａが設けられている。押圧部１３ａは、ピンチローラ１３の他の部分よりも外径が少し大きく形成されている。
【００２７】
ここで、駆動ローラ１２とピンチローラ１３は、前記圧縮コイルバネの付勢力により、保持シート１０を上下方向から押圧挟持する（図９参照）。そして、Ｙ軸モータ１５を正転駆動、或は逆転駆動させると、その回転運動が第１減速ギヤ機構１６を介して駆動ローラ１２に伝わることで、保持シート１０を被切断物６と共に後方或いは前方へ移動させる。これら駆動ローラ１２、ピンチローラ１３、Ｙ軸モータ１５、第１減速ギヤ機構１６、前記圧縮コイルバネ等は、第１移動手段７を構成する。
【００２８】
前記第２移動手段８は、カッタホルダ５を支持するキャリッジ１９を、Ｘ方向（第２方向）へ移動させるものである。詳細には、図１、図２に示すように、左右の側壁部１１ａ，１１ｂ間には、後端部に位置させて、左右方向に延びるガイド軸２０とガイドフレーム２１が配設されている。ガイド軸２０は、駆動ローラ１２及びピンチローラ１３と平行に配設されている。ガイド軸２０は、プラテン３の直ぐ上側で、キャリッジ１９下部（後述の貫通孔部２２）を貫通している。ガイドフレーム２１は、前縁部２１ａと後縁部２１ｂが下方へ折り返された断面コ字状をなしている。前縁部２１ａはガイド軸２０と平行に配設されている。ガイドフレーム２１は、前縁部２１ａでキャリッジ１９上部（後述の被ガイド体２３，２３）をガイドするようになっており、側壁部１１ａ，１１ｂの上端部で螺子２１ｃにより固定されている。
【００２９】
図２に示すように、切断装置１の後部には、右側壁部１１ｂに第２取付フレーム２４が設けられると共に、左側壁部１１ａに補助フレーム２５が設けられている。第２取付フレーム２４には、Ｘ軸モータ２６及び第２減速ギヤ機構２７が配設されている。Ｘ軸モータ２６は、例えばステッピングモータからなり、第２取付フレーム２４における前側の取付片２４ａの前面部に固定されている。Ｘ軸モータ２６の回転軸２６ａは取付片２４ａを貫通しており、先端部に、第２減速ギヤ機構２７と噛合するギヤ部２６ｂを有する。第２減速ギヤ機構２７にはプーリ２８が設けられており、図２において左側の補助フレーム２５にプーリ２９が回転自在に取付けられている。これらプーリ２８とプーリ２９との間には、キャリッジ１９の後端部（後述の取付部３０）に連結された無端状のタイミングベルト３１が掛装されている。
【００３０】
ここで、Ｘ軸モータ２６を正転駆動、或は逆転駆動させると、その回転運動が第２減速ギヤ機構２７及びプーリ２８を介してタイミングベルト３１に伝わることで、キャリッジ１９をカッタホルダ５ごと左方或いは右方へ移動させる。こうして、キャリッジ１９とカッタホルダ５は、被切断物６を搬送するＹ方向と直交するＸ方向に移動する。上記のガイド軸２０、ガイドフレーム２１、Ｘ軸モータ２６、第２減速ギヤ機構２７、プーリ２８，２９、タイミングベルト３１、キャリッジ１９等は、第２移動手段８を構成する。
【００３１】
前記カッタホルダ５は、キャリッジ１９に対して前面側に配置され、Ｚ方向たる上下方向（第３方向）への移動が可能に支持されている。これらキャリッジ１９及びカッタホルダ５の構成について、図３〜図９も参照しながら説明する。
【００３２】
図２、図３に示すように、キャリッジ１９は、後面側が開放された略矩形箱状をなす。キャリッジ１９の上壁部１９ａには、平面視にて円弧状をなすリブであって、上方へ突出する前後一対の被ガイド体２３，２３が一体に設けられている。被ガイド体２３，２３は、ガイドフレーム２１の前縁部２１ａを挟むよう対称的に配置されている。図４にも示すように、キャリッジ１９における底壁部１９ｂの下側には、ガイド軸２０に挿通される左右一対の貫通孔部２２，２２が下方へ張出すように形成されている。また、キャリッジ１９の底壁部１９ｂには、前記タイミングベルト３１に連結される取付部３０（図５、図６参照）が後方へ突出するように設けられている。こうして、キャリッジ１９は、貫通孔部２２，２２に挿通されるガイド軸２０によって左右方向へ摺動可能に支持されると共に、被ガイド体２３，２３で挟まれるガイドフレーム２１によってガイド軸２０の回りに回転しないように支持される。
【００３３】
図３、図４、図５、図９等に示すように、キャリッジ１９の前壁部１９ｃには、前方へ延出する上下一対の支持部３２ａ，３２ｂが一体に設けられている。キャリッジ１９には、支持部３２ａ，３２ｂを夫々貫通する左右一対の支持軸３３ａ，３３ｂが上下動自在に支持されている。キャリッジ１９内には、例えばステッピングモータからなるＺ軸モータ３４が、後方から収容されるように配置されている。Ｚ軸モータ３４の回転軸３４ａは（図３、図９参照）、キャリッジ１９の前壁部１９ｃを貫通しており、先端部にギヤ部３５を有する。また、図５、図６、図９に示すように、キャリッジ１９には、その前壁部１９ｃ中央からやや下寄りの部位を前後に貫通するギヤ軸３７が設けられている。ギヤ軸３７には、前壁部１９ｃの前側で前記ギヤ部３５に噛合するギヤ部３８が回転可能に装着されると共に、ギヤ軸３７前端部の止め輪（図示略）により抜け止めされている。ギヤ部３８とギヤ部３５で第３減速機構４１を構成する（図３、図９参照）。
【００３４】
ギヤ部３８には、図７に示すように、渦巻き溝４２が形成されている。渦巻き溝４２は、第１端部４２ａから第２端部４２ｂへ向って右方向に旋回するにつれ中心に近づく渦巻き状をなすカム溝である。渦巻き溝４２には、詳しくは後述するが、カッタホルダ５と一体的に上下移動する係合ピン４３が係合する（図５、図６参照）。ここで、Ｚ軸モータ３４を正転駆動、或は逆転駆動させると、ギヤ部３５を介してギヤ部３８が回転する。ギヤ部３８が回転することにより、渦巻き溝４２に係合する係合ピン４３が上下方向に摺動する。これに伴い、カッタホルダ５を支持軸３３ａ，３３ｂごと上方或いは下方へ昇降させる。この場合、カッタホルダ５は、係合ピン４３が渦巻き溝４２の第１端部４２ａに位置した上昇位置（図５、図７参照）と、係合ピン４３が第２端部４２ｂに位置した下降位置（図６、図７参照）との間で移動する。上記の渦巻き溝４２を有する第３減速機構４１、Ｚ軸モータ３４、係合ピン４３、支持部３２ａ，３２ｂ、支持軸３３ａ，３３ｂ等は、カッタホルダ５を上下方向へ移動させる第３移動手段４４を構成する。
【００３５】
カッタホルダ５は、前記支持軸３３ａ，３３ｂに設けられるホルダ本体４５と、カッタ４（切断刃）を有してホルダ本体４５に上下動可能に保持される可動筒部４６とを備えると共に、被切断物６を押圧するための押圧装置４７を備えている。
即ち、図３、図４、図５、図９等に示すように、ホルダ本体４５は、上端部４５ａと下端部４５ｂが後方へ折り返され全体としてコ字状をなしている。ホルダ本体４５の上端部４５ａと下端部４５ｂは、支持軸３３ａ，３３ｂの上下両端部に夫々固定された止め輪４８により、支持軸３３ａ，３３ｂに対し移動不能に固定されている。図５、図６に示すように、支持軸３３ｂの中間部には、前記係合ピン４３が後向きに設けられた連結部材４９が固着されている。こうして、ホルダ本体４５、支持軸３３ａ，３３ｂ、係合ピン４３、及び連結部材４９は一体的に構成され、カッタホルダ５は、前記第３移動手段４４により係合ピン４３に連動して上下方向へ移動する。また、支持軸３３ａ，３３ｂには、支持部３２ａ上面とホルダ本体４５の上端部４５ａとの間に、付勢部材たる圧縮コイルバネ５０が夫々外装されている。圧縮コイルバネ５０の付勢力により、カッタホルダ５全体がキャリッジ１９側に対して上方へ弾性付勢されている。
また、図４に示すように、ホルダ本体４５の下端部４５ｂには、右側に位置して後述するタグリーダ／ライタ６６が設けられている。タグリーダ／ライタ６６は、ホルダ本体４５に対して一体的に設けられており、後述する無線タグ６０と非接触で切断に関する情報である切断情報を送受信する。尚、タグリーダ／ライタ６６を、ホルダ本体４５に設けるのではなく、本体カバー２又はプラテン３に設けるようにしてもよい。換言すれば、タグリーダ／ライタ６６は、無線タグ６０と送受信が可能な範囲に設けるようにすればよく、設ける位置は限定されない。
【００３６】
図３、図４に示すように、ホルダ本体４５における中間部には、可動筒部４６や押圧装置４７等を取付けるための取付部材５１，５２が螺子５４ａ，５４ｂにより夫々固定されている。下側の取付部材５２には、可動筒部４６を上下動可能に支持する筒状部５２ａ（図５参照）が設けられている。可動筒部４６は、筒状部５２ａの内周面に摺接する径寸法に設定され、その上端部には、筒状部５２ａの上端で支持されるフランジ部４６ａが径方向外側へ張出すように形成されている。フランジ部４６ａの上端面にはバネ受け部４６ｂが設けられている。図５、図６に示すように、上側の取付部材５１と可動筒部４６のバネ受け部４６ｂとの間には、圧縮コイルバネ５３が配設されている。圧縮コイルバネ５３は、可動筒部４６（カッタ４）を下方の被切断物６側に付勢する一方、カッタ４に被切断物６側から上方への力が作用すると、当該付勢力に抗して可動筒部４６の上方への移動を許容する。
【００３７】
可動筒部４６には、その軸線方向に延びるカッタ４が貫通するように配設されている。詳細には、カッタ４は、可動筒部４６よりも長尺な丸棒状のカッタ軸４ｂと、そのカッタ軸４ｂの下端部に形成された刃部４ａとを一体に有する。図８に示すように、刃部４ａは略三角形状をなし、最下端の刃先４ｃが、カッタ軸４ｂの中心軸線Ｏから距離ｄだけオフセット（偏心）した位置に形成されている。カッタ４は、可動筒部４６内部の上下両端部に配設された軸受５５（図５参照）により、上下方向の中心軸線Ｏ（Ｚ軸）を中心に回動自在に保持されている。こうして、カッタ４は、被切断物６の表面たるＸＹ平面に対して直交するＺ方向から刃先４ｃが圧接する。また、カッタ４は、カッタホルダ５が下降位置へ移動された時に、図８に示すように刃先４ｃが保持シート１０上の被切断物６を貫通し、且つプラテン３の板材３ｂ上面に到達しない高さに設定してある。一方、カッタ４は、カッタホルダ５が上昇位置へ移動されることに伴い、刃先４ｃも上方へ移動して被切断物６から離間する（図５参照）。
【００３８】
前記取付部材５２には、筒状部５２ａの下端部周縁に、３つのガイド孔部５２ｂ〜５２ｄ（図３、図４、図５、図９参照）が等間隔で形成されている。そして、筒状部５２ａの下側には、ガイド孔部５２ｂ〜５２ｄに挿通される３つのガイド棒５６ｂ〜５６ｄを有する押圧部材５６が配置されている。押圧部材５６の下面側は、浅底な鉢（ボウル）状（或は緩やかな円形椀状）をなす押圧部本体５６ａとされており、周縁上部には、等間隔をなす前記ガイド棒５６ｂ〜５６ｄが一体に設けられている。押圧部材５６は、ガイド孔部５２ｂ〜５２ｄにてガイド棒５６ｂ〜５６ｄがガイドされることにより、上下方向への移動が可能である。押圧部本体５６ａの中央部には、上下方向に延びて前記刃部４ａを下方へ突出させるための貫通孔５６ｅが形成されている。そして、押圧部本体５６ａの下端面は、刃部４ａの周囲で被切断物６に接触する接触部５６ｆとされている。接触部５６ｆは、円環上をなす水平な平坦面であって、被切断物６に対して面接触する。接触部５６ｆは、例えばテフロン（登録商標）等のフッ素樹脂で構成されることで、比較的摩擦係数が低く、被切断物６に対して滑り易くなっている。
【００３９】
図３、図４、図５、図９等に示すように、押圧部本体５６ａの周縁上部には、前方へ延出する案内部５６ｇが一体に設けられている。案内部５６ｇは、接触部５６ｆに対して前側で且つ上方に位置し、当該接触部５６ｆ側へ後方に向けて下方に傾斜した傾斜面５６ｇａを含んで構成されている。これにより、被切断物６を保持した保持シート１０が、カッタホルダ５に対して後方へ移動する際、案内部５６ｇは、被切断物６を接触部５６ｆに対して引っ掛からないように下側へ案内する。
【００４０】
前記取付部材５２には、筒状部５２ａの前側であって案内部５６ｇの上方に位置してソレノイド５７用の前側取付部５２ｅが一体に設けられている。ソレノイド５７は、押圧部材５６を上下動させて被切断物６を押圧するためのアクチュエータであり、押圧部材５６並びに後述の制御回路６１と共に押圧装置４７（押圧手段）を構成する。ソレノイド５７は、前側取付部５２ｅに下向きに取付けられており、プランジャ５７ａの先端部は案内部５６ｇ上面に固定されている。カッタホルダ５の下降位置でソレノイド５７が駆動されると、プランジャ５７ａと共に押圧部材５６が下方へ移動して被切断物６を所定の押圧力で押圧する（図９参照）。これに対して、ソレノイド５７の非駆動時には、プランジャ５７ａが上方に位置して押圧部材５６が被切断物６に対する押圧力を解除する。ソレノイド５７の非駆動状態でカッタホルダ５が上昇位置へ移動されると（図５の２点鎖線参照）、押圧部材５６が被切断物６から完全に離間する。
上記したカッタ４、第１移動手段７、第２移動手段８、第３移動手段、制御回路６１、押圧装置４７等は、切断手段５８（図１参照）に相当する。
【００４１】
さて、前記保持シート１０は、被切断物６の種類ごとに複数種類が用意されており、各保持シート１０には、切断に関する情報である切断情報が書き込まれた無線タグ６０が装着されている。また、保持シート１０には、ユーザが視認することで種類を判別できるように、標識５９が付与されている。保持シート１０、無線タグ６０、及び標識５９について図１１、図１３も参照しながら説明する。
図１、図１１に示すように、保持シート１０は、例えば、合成樹脂材料からなり、平板矩形状に形成されている。保持シート１０は、カッタ４と対向する位置に配置される。保持シート１０の片面（上面）には、周縁部である左縁部１０ｂ，右縁部１０ｃ及び後縁部１０ｄ，前縁部１０ｅを除いた部分に粘着剤が塗布された粘着層１０ａ（図８参照）が形成されている。
【００４２】
保持シート１０は、対応する種類の被切断物６を粘着層１０ａに粘着させることで剥離可能に保持する。ここで、粘着層１０ａは、カッタ４で被切断物６を切断する際に、当該被切断物６を移動不能に保持する粘着力を有する。具体的には、被切断物６としてケント紙やはがき等の紙を切断する場合、当該紙を移動不能に保持するための最適な粘着力に設定された保持シート１０Ａ（図１１（ａ）参照）が用いられる。また、被切断物６として布を切断する場合、布の種類に応じた保持シート１０が用いられる。例えば、布の種類としてフェルトを使用する場合には、当該フェルトを移動不能に保持するための最適な粘着力に設定された保持シート１０Ｂ（図１１（ｂ）参照）が用いられる。
【００４３】
この他、詳しい図示は省略するが、布の種類として例えばデニムやブロードを使用する場合には、デニムを移動不能に保持する最適な粘着力に設定された保持シート１０Ｃが用意され、ブロードを移動不能に保持する最適な粘着力に設定された保持シート１０Ｄが用意されている。このように、複数種類の保持シート１０が用意されている（図１３参照）。つまり、紙と布とでは材質が異なり、また、布の種類においても、フェルトとデニムとブロードとでは、布厚や伸縮特性等の布質が異なる。このため、粘着層１０ａの粘着力は、夫々の被切断物６の特性に応じた粘着力に設定され、且つ、夫々の被切断物６を粘着層１０ａから剥がす際に、被切断物６が破れてしまうことがない粘着力であるように設定してある。こうして、上記した複数種類（例えば４種類）の保持シート１０Ａ〜１０Ｄは、粘着層１０ａの粘着力の弱い順に例えば「１０Ａ＜１０Ｂ＜１０Ｃ＜１０Ｄ」の関係にある。このように、被切断物６の種類に応じて、粘着層１０ａの粘着力が、保持シート１０Ａ〜１０Ｄごとに設定してある。ここで、保持シート１０の種類は、上記４種類に限定されるものではないことは、言うまでもない。
【００４４】
無線タグ６０は、詳しくは後述するが、ＩＣチップと小型のアンテナ７１（図１４（ａ）参照）とを備えた周知の構成のものが用いられ、保持シート１０の後縁部１０ｄに設けられる。そして、無線タグ６０には、切断に関する情報である切断情報が書き込まれている。図１１（ａ）に示すように、無線タグ６０Ａは、図示しない両面粘着テープによって、保持シート１０Ａの後縁部１０ｄ上面（表面）の右方に貼付されており、着脱が可能である。また、図１１（ｂ）に示すように、無線タグ６０Ｂも同様に、保持シート１０Ｂの後縁部１０ｄ上面右方に、両面粘着テープにより着脱可能に貼付されている。また、図示は省略するが、無線タグ６０Ｃ，６０Ｄについても、上記と同様に、保持シート１０Ｃ，１０Ｄの夫々の後縁部１０ｄの上面右方に着脱可能に貼付されている。無線タグ６０Ａ〜６０Ｄには、夫々の保持シート１０Ａ〜１０Ｄごとに夫々異なる切断情報が書き込まれている。尚、無線タグ６０の貼付位置については、保持シート１０の後縁部１０ｄの上面右方に限定するものではなく、他の位置であってもよい。
【００４５】
次に、標識５９について説明する。標識５９は、ユーザが視認することで保持シート１０の種類を判別する為のものである。図１１に示すように、標識５９は、保持シート１０の左縁部１０ｂ，右縁部１０ｃの略中央位置に付与されている。本実施形態の場合は、標識５９として、保持シート１０Ａには「Ａ」、保持シート１０Ｂには「Ｂ」の文字が印刷されている。また、図示はしないが、保持シート１０Ｃ、１０Ｄも同様に、夫々対応する文字が印刷されている。尚、標識５９は、文字の代わりに、数字、記号、模様、図形、目印等であってもよい。また、標識５９の位置は、図１１に示す位置に限定するものではなく、標識５９の個数についても２個に限定するものではない。また、標識５９を付与する代わりに、保持シート１０の種類毎に異なる色を付与してもよい。この場合、保持シート１０の全体に色を付与してもよいし、保持シート１０の一部に色を付与してもよい。そして、標識５９と色の両方を、保持シート１０に付与してもよいことは言うまでもない。尚、以下、保持シート１０Ａを紙用保持シート１０Ａ、保持シート１０Ｂをフェルト用保持シート１０Ｂ、保持シート１０Ｃをデニム用保持シート１０Ｃ、保持シート１０Ｄをブロード用保持シート１０Ｄと称す。
【００４６】
次に、切断装置１及び無線タグ６０の制御系の構成について図１０、図１２及び図１４を参照しながら説明する。
図１０に示すように、切断装置１全体の制御を司る制御回路（制御手段）６１は、コンピュータ（ＣＰＵ）を主体に構成されており、記憶手段としてＲＯＭ６２、ＲＡＭ６３、外部メモリ６４が接続されている。ＲＯＭ６２には、切断動作を制御するための切断制御プログラム等が記憶されている。外部メモリ６４には、所定の模様形状を切断するための複数種類の形状データが記憶されている。
【００４７】
ＲＡＭ６３には、各種のデータを一時的に記憶する記憶領域が設けられている。具体的には、図１２に示すように、ＲＡＭ６３には、カッタ４の被切断物６に対する押圧力に関するデータが記憶されるカッタ圧情報記憶領域６３１、押圧部材５６の押圧力に関するデータが記憶される押え圧情報記憶領域６３２、カッタ４と被切断物６との相対移動速度に関するデータが記憶される速度情報記憶領域６３３、被切断物６に対するカッタ４の相対移動量を補正する補正量に関するデータが記憶される補正情報記憶領域６３４等の複数の記憶領域が設けられている。記憶領域６３１〜６３４に記憶される各データ（切断パラメータ）については、後述する。
【００４８】
制御回路６１には、Ｙ軸モータ１５、Ｘ軸モータ２６、Ｚ軸モータ３４、ソレノイド５７を夫々駆動する駆動回路６７，６８，６９，７０が接続されている。制御回路６１は、切断制御プログラムの実行により前記形状データや切断パラメータに基づいて、Ｙ軸モータ１５、Ｘ軸モータ２６、Ｚ軸モータ３４、ソレノイド５７を制御し、保持シート１０上の被切断物６に対する切断動作を自動で実行させる。
【００４９】
また、制御回路６１には、前述した各種の操作スイッチ６５（以下、単に操作スイッチ６５と称する）やタグリーダ／ライタ６６が接続されると共に、液晶ディスプレイ９が接続されている。
タグリーダ／ライタ６６は、保持シート１０の無線タグ６０との間で無線通信を行うことにより、非接触で情報の読み取りを行う読取手段としての機能と、非接触で情報の書き込みを行う書込手段としての機能を有する。図示は省略するが、タグリーダ／ライタ６６は、制御部を主体として、これに接続されるメモリ部、通信部等を備えると共に、無線通信のためのアンテナを備える。前記制御部は、制御回路６１に接続されると共に、メモリ部の制御プログラムに基づいて、通信指令を通信部に対して行う。これにより、通信部にて送信情報を用いて変調した所定周波数の電波信号をアンテナから送信する送信処理と、アンテナで受信した電波信号より元の情報を復調する受信処理とを行う。
【００５０】
ユーザは、液晶ディスプレイ９の表示を見ながら操作スイッチ６５を操作することによって、所望する模様形状の形状データを選択するための入力を行う。また、液晶ディスプレイ９には、前記タグリーダ／ライタ６６により無線タグ６０から読み取った情報を含む各種の情報を表示させることができる。そして、液晶ディスプレイ９及び操作スイッチ６５は、無線タグ６０から読み取った情報を更新するための設定手段として、種々の切断パラメータを含む切断情報の設定が可能とされている。尚、液晶ディスプレイ９の前面に、透明電極からなる複数のタッチキーを有するタッチパネルを設け、前記タッチキーの入力操作に基づいて、各種の設定や入力を行うようにしてもよい。
【００５１】
図１４（ａ）に示すように、無線タグ６０は、ＩＣチップとアンテナ７１とを備えている。ここで、ＩＣチップは、制御部７２を主体として、これに接続されるメモリ部７３や通信部７４を有すると共に、アンテナ７１で受信した電波から電源電圧を生成する電源部７５を有し、電源部７５で得た電源電圧に基づいて動作する。通信部７４は、アンテナ７１で受信した電波に含まれるデータ信号が伝達されると、そのデータ信号を元のデータに復調する処理を行う。制御部７２は、タグリーダ／ライタ６６からの命令（コマンド）の内容に従って、メモリ部７３の記憶内容の書き込み等を行う。また、制御部７２は、タグリーダ／ライタ６６からのコマンドの内容に従い、メモリ部７３に保存しているデータを送信するための制御を通信部７４に対して行い、メモリ部７３から取出されたデータにより、通信部７４において所定の周波数帯の搬送波が変調され、アンテナ７１からタグリーダ／ライタ６６側に送信される。
【００５２】
図１４（ｂ）に示すように、無線タグ６０のメモリ部７３には、カッタ圧情報記憶領域７３１、押え圧情報記憶領域７３２、速度情報記憶領域７３３、補正情報記憶領域７３４等の複数の記憶領域が設けられている。
カッタ圧情報記憶領域７３１には、カッタ４の被切断物６に対する押圧力に関するカッタ圧データが予め書き込まれている。カッタ圧データは、Ｚ軸モータ３４の駆動によりカッタホルダ５の下降位置におけるカッタ４の上下位置を調整してカッタ圧を制御するための設定値である。押え圧情報記憶領域７３２には、押圧部材５６の押圧力に関する押え圧データが予め書き込まれている。押え圧データは、ソレノイド５７の駆動電流（電流値）であり、当該電流値によって押圧部材５６の被切断物６に対する押圧力を制御する。速度情報記憶領域７３３には、カッタ４と被切断物６との相対移動速度に関する速度データが予め書き込まれている。速度データは、前記相対移動速度を制御するためのＹ軸モータ１５及びＸ軸モータ２６の設定速度である。補正情報記憶領域７３４には、被切断物６に対するカッタ４の相対移動量を補正する補正量に関する補正データが予め書き込まれている。補正データは、被切断物６の切断時の伸縮量に対応して設定されるもので、切断開始点と切断終了点との間で切れ残りが生じないように、Ｙ軸モータ１５及びＸ軸モータ２６の駆動量を補正するための設定値である。
【００５３】
図１３は、上記したカッタ圧データ、押え圧データ、速度データ、及び補正データについて、保持シート１０Ａ〜１０Ｄと対応づけた設定例を示している。各データは、切断装置１において保持シート１０Ａ〜１０Ｄごとに最適な切断条件となるよう、前記粘着力や被切断物６の特性に応じて各別に設定されている。即ち、紙用保持シート１０Ａでは、同図の一番上側に示すように、カッタ圧データ、押え圧データ、及び速度データは、低い値に設定されている。また、紙は伸縮しないので、カッタ４の相対移動に係る補正は行わない。そして、フェルト用保持シート１０Ｂでは、カッタ圧データ及び押え圧データは夫々中程度の値に設定され、速度データは高い値に設定されている。また、フェルトの伸縮は比較的大きいため、補正データは大きい値に設定されている。
【００５４】
この他、デニム用保持シート１０Ｃでは、カッタ圧データ、押え圧データ、及び速度データは、高い値に設定されている。また、デニムの伸縮は比較的小さいため、補正データは小さい値に設定されている。そして、ブロード用保持シート１０Ｄでは、カッタ圧データは低い値に設定され、押え圧データ及び速度データは高い値に設定されている。また、ブロードの伸縮は中程度であるため、補正データは中程度の値に設定されている。
【００５５】
こうして、無線タグ６０Ａ〜６０Ｄの夫々のメモリ部７３の各記憶領域７３１〜７３４には、上記した各データ（カッタ圧データ〜補正データ）、即ち、保持シート１０Ａ〜１０Ｄごとに最適な切断条件となるよう各別に設定された切断パラメータが記憶されている。そして、制御回路６１は、切断開始時にタグリーダ／ライタ６６により、無線タグ６０Ａ〜６０Ｄから上記切断パラメータを読み取り、当該データに基づいて切断手段５８を制御する。上記切断パラメータが、切断情報に相当する。
切断装置１における切断開始時の具体的な処理手順について、図１５、図１６も参照しながら説明する。図１５、図１６のフローチャートは、制御回路６１が実行するプログラムの処理の流れを示しており、図中の符号Ｓｉ（ｉ＝１１、１２、１３・・・）は各ステップを示している。
【００５６】
ユーザは、被切断物６と、被切断物６の種類に対応した保持シート１０を用意し、保持シート１０の粘着層１０ａに被切断物６を貼り付ける。また、ユーザは、操作スイッチ６５を操作することによって、例えば外部メモリ６４に記憶されている形状データの中から所望の形状データを選択する。
一方、切断装置１において、被切断物６の切断開始前の状態では、カッタホルダ５が上昇位置に移動されている（図５参照）。この状態で、ユーザは、被切断物６を保持した保持シート１０を、切断装置１の開口部２ａからセットする（ステップＳ１１）。そして、ステップＳ１２では、セットされた保持シート１０の無線タグ６０から上記切断パラメータを読み取って、切断装置１の切断条件として設定する無線タグ情報設定処理が行われる（図１６参照）。
【００５７】
即ち、制御回路６１は、タグリーダ／ライタ６６を介して、無線タグ６０のメモリ部７３に記憶されているカッタ圧データ、押え圧データ、速度データ、及び補正データを読み取って、ＲＡＭ６３のカッタ圧情報記憶領域６３１、押え圧情報記憶領域６３２、速度情報記憶領域６３３、及び補正情報記憶領域６３４に記憶させる（ステップＳ２１〜Ｓ２４）。
【００５８】
こうして、ステップＳ２１〜Ｓ２４を経て、切断装置１における切断パラメータが、無線タグ６０に記憶されている各データに基づいて自動的に設定される。例えば、前記ステップＳ１１で、被切断物６としてフェルトを貼り付けたフェルト用保持シート１０Ｂをセットした場合、カッタ圧データ及び押え圧データは中程度の値に、速度データは比較的高い値に、補正データは大きい値に夫々設定される（図１３参照）。これにより、無線タグ情報設定処理を終了する（図１５のステップＳ１３にリターンする）。
【００５９】
続いて、制御回路６１は、液晶ディスプレイ９に前記ステップＳ１２で設定されたカッタ圧データ、押え圧データ、速度データ、及び補正データを表示すると共に、これら切断パラメータを更新するか否かのメッセージを液晶ディスプレイ９に表示する。そして、ユーザは、操作スイッチ６５の操作により、切断パラメータの更新を指示し（ステップＳ１３にてＹｅｓ）、ＲＡＭ６３に記憶された各切断パラメータを所望の値に更新することができる（ステップＳ１４）。この場合、ユーザは、液晶ディスプレイ９に表示された各切断パラメータの夫々の値を、操作スイッチ６５の操作により新たに設定する。設定後の各データは、ＲＡＭ６３の記憶領域６３１〜６３４に上書き更新される。この場合、実際に切断する被切断物６はフェルトであるが、フェルトの布厚が比較的薄い場合には、速度データを若干高い値に更新することで切断時間をより短縮することができる。また、同様に、実際に切断する被切断物６の材質特性（表面の凹凸の度合い（平滑度）、厚み、伸縮性）に応じて、カッタ圧データ、押え圧データ、速度データ、及び補正データを適宜変更して更新することで、より正確に切断を行うことができる。
【００６０】
更に、制御回路６１は、前記ステップＳ１４で更新した切断パラメータを無線タグ６０に書き込むか否かのメッセージを液晶ディスプレイ９に表示する。ここで、ユーザは、操作スイッチ６５の操作により、無線タグ６０への書き込みを指示することができる（ステップＳ１５にてＹｅｓ）。制御回路６１は、書き込みの指示を受けると、タグリーダ／ライタ６６を介して、無線タグ６０のカッタ圧情報記憶領域７３１、押え圧情報記憶領域７３２、速度情報記憶領域７３３、及び補正情報記憶領域７３４に、更新後のカッタ圧データ、押え圧データ、速度データ、及び補正データを夫々書き込む（上書きする）（ステップＳ１６）。尚、前記ステップＳ１３又はステップＳ１５において、ユーザによる切断パラメータの更新又は書き込みの指示が無い場合（Ｎｏ）、上記したＲＡＭ６３のデータの更新及び無線タグ６０へのデータ書き込みは行われない。ここで、図示はしないが、メモリ部７３とは別の第２メモリ部を無線タグ６０に設け、更新後のカッタ圧データ、押え圧データ、速度データ、及び補正データを第２メモリ部に夫々書き込むようにしてもよい。この場合、メモリ部７３は読み取り専用とする。そして、更新後のカッタ圧データ、押え圧データ、速度データ、及び補正データを最初の値（初期値）に戻したいときには、メモリ部７３から初期値を読み取るようにすればよい。
【００６１】
こうして、切断装置１において切断パラメータが設定された状態で、操作スイッチ６５が操作されると、制御回路６１は、その操作信号に基づいて切断動作を開始する（ステップＳ１７）。ここで、制御回路６１は、ＲＡＭ６３のカッタ圧情報記憶領域６３１、押え圧情報記憶領域６３２、速度情報記憶領域６３３、及び補正情報記憶領域６３４を参照し、各記憶領域６３１〜６３４に記憶されたカッタ圧データ、押え圧データ、速度データ、及び補正データに基づいて、前記切断手段５８を制御する。
具体的には、先ず、カッタ４の刃先４ｃを被切断物６の切断開始点に移動させるべく、Ｙ軸モータ１５及びＸ軸モータ２６を速度データに基づき駆動制御して、カッタ４と被切断物６を相対移動させる。そして、切断開始点上にカッタ４を移動させた状態で、押え圧データに基づくソレノイド５７の駆動制御により、押圧部材５６で被切断物６を押圧する。また、カッタ圧データに基づくＺ軸モータ３４の駆動制御により、カッタホルダ５を下降位置に移動させて、カッタ４の刃先４ｃを被切断物６の切断開始点に貫通させる。そして、前記形状データと速度データに基づいてＹ軸モータ１５及びＸ軸モータ２６を駆動させることで、カッタ４と被切断物６とを相対的に移動させて被切断物６を切断する。
【００６２】
切断時においてカッタ４の相対移動に伴い、カッタ４が被切断物６から抵抗力を受ける。この点、被切断物６はこれを保持するのに最適の保持シート１０が用いられ、且つ押え圧データに基づき接触部５６ｆで適切な押圧力が作用する。このため、保持シート１０における粘着層１０ａの粘着力と接触部５６ｆの押圧力とにより、被切断物６が保持シートに対して移動することが無いよう、確実に保持される。当該押圧力との関係で、速度データに基づきモータ１５，２６が脱調しないように制御することができ、連続して安定した切断を行うことができる。また、カッタ圧データに基づきＺ軸モータ３４を駆動制御することで、被切断物６を確実に切断することができる。そして、切断終了点では、被切断物６の伸縮に対応する為、補正データに基づいてカッタ４を余分に移動させて、前記切断開始点との間で切れ残りが生じないように切断する。
【００６３】
被切断物６の切断が終了すると、ユーザは、保持シート１０から被切断物６を剥がす。この場合、保持シート１０における粘着層１０ａの粘着力は、前述のように被切断物６に応じた値に設定されているため、容易に剥がすことができる。
ここで、保持シート１０は、ある程度繰り返して使用される。しかし、保持シート１０の使用回数が増えるほど、被切断物６の貼り付けと剥がしが繰り返されるので、粘着層１０ａの粘着力が徐々に低下して使用できなくなる。そこで、例えば保持シート１０Ａが使用できなくなって新しいものに替える場合、ユーザは、保持シート１０Ａに両面粘着テープで貼り付けられていた無線タグ６０Ａを剥がす。そして、無線タグ６０が貼り付けられていない新品の保持シート１０であって保持シート１０Ａと同じ粘着力を有する保持シート１０に無線タグ６０Ａを貼り付ける。このように、新品の保持シート１０に無線タグ６０Ａを貼り付けるだけで、保持シート１０Ａとして直ぐに使用することができるので、大変便利である。また、例えば無線タグ６０Ａを別の保持シート１０Ｂに適用したい場合、即ち、無縁タグ６０Ａを無線タグ６０Ｂとして使用したい場合には、前述した切断パラメータの更新及び書き込みにおいて（ステップＳ１３〜Ｓ１６）、保持シート１０Ｂに適した値に更新して書き込み（上書き）することで、無線タグ６０Ｂとして使用することができる。
【００６４】
以上のように本実施形態の切断装置１において、タグリーダ／ライタ６６により無線タグ６０から読み取った切断情報（切断パラメータ）に基づいて、切断手段５８を制御する制御回路６１を備える。
これによれば、切断装置１にセットされた保持シート１０の無線タグ６０から切断情報が読み取られ、制御回路６１によって、切断情報に基づいて切断手段５８の動作が制御される。従って、被切断物６が確実に保持されずに切断動作中に保持シート１０からズレてしまうことが防止され、被切断物６を正確に切断することができる。
【００６５】
前記切断情報は、カッタ４と被切断物６との相対移動速度と、カッタ４の被切断物６に対する押圧力と、被切断物６に対するカッタ４の相対移動量を補正する補正量とのうち少なくとも１つの情報を含む。従って、これら少なくとも１つの切断情報に基づいて、制御回路６１が切断手段５８を適切に制御して、被切断物６を確実に切断することができる。また、当該切断情報を、切断装置１に対しユーザが入力する必要がないので、利便性を向上させることができる。
切断手段５８は、保持シート１０に保持された被切断物６を押圧する押圧装置４７を備え、前記切断情報は、押圧装置４７の押圧力を含む。これによれば、押圧装置４７によって、保持シート１０に保持された被切断物６を押圧することができる。更に、保持シート１０ごとに押圧力を設定できるため、切断動作中に被切断物６が保持シート１０からズレないよう、より確実に保持することができる。
【００６６】
タグリーダ／ライタ６６により無線タグ６０から読み取った切断情報を更新するための設定手段として液晶ディスプレイ９及び操作スイッチ６５を備える。また、タグリーダ／ライタ６６は、当該設定手段で更新した切断情報を無線タグ６０に書き込むための書込手段として構成されている。これによれば、実際に切断する被切断物６の材質特性に応じて切断情報を更新して切断を行うことができる。また、無線タグ６０に更新した切断情報を書き込むことができるので、次回以降も更新した切断情報に基づいて、被切断物を確実に切断することができる。
無線タグ６０は、保持シート１０に対して着脱可能に装着されている。このため、無線タグ６０を、新品の保持シート１０又は別の保持シート１０に付け替えて繰り返し使用することができる。
【００６７】
＜第２実施形態＞
図１７〜図２１は、本発明の第２実施形態を示すものであり、第１実施形態と異なるところを説明する。尚、第１実施形態と同一部分には同一符号を付している。
図１７に示すように、本第２実施形態における無線タグ６０αのメモリ部７３には、形状データ記憶領域７３５、切断順序データ記憶領域７３６、配置データ記憶領域７３７が設けられている。形状データ記憶領域７３５には、所定の模様形状を切断するための形状データが予め書き込まれている。切断順序データ記憶領域７３６には、被切断物６に対して複数の模様形状を切断する場合、それら模様形状の切断順序を特定する切断順序データが予め書き込まれている。配置データ記憶領域７３７には、被切断物６に対して模様形状の配置を特定するための配置データが予め書き込まれている。
【００６８】
前記形状データについて、保持シート１０αに保持された被切断物６から複数（例えば１２個）の模様形状を切断する場合を例に説明する。図１８（ａ）に示すように、切断する形状は、「正方形」の６つの模様形状Ｆａ〜Ｆｆと「台形」の６つの模様形状Ｆｇ〜Ｆｌである。この場合の全体データは、図１９に示すように、模様形状Ｆａ〜Ｆｌの総数の情報である「模様数」、「模様形状Ｆａ」〜「模様形状Ｆｌ」の形状データ、「形状区切りデータ」等を含む。前記切断順序データは、当該模様形状Ｆａ〜Ｆｌに対応付けて記憶されている（図１９の切断１〜切断１２参照）。「模様数」は１２であり、各模様形状Ｆａ〜Ｆｌの形状データは、複数の線分からなる切断ラインの頂点を夫々ＸＹ座標によって示した座標データからなる。
【００６９】
具体的には、模様形状Ｆａの切断ラインは、図１８（ｂ）に示すように４つの線分ａ１〜ａ４からなり、切断開始点Ｐ0と切断終了点Ｐ4が一致する閉じた正方形である。模様形状Ｆａの形状データは、切断開始点Ｐ0、頂点Ｐ１、頂点Ｐ２、頂点Ｐ３、切断終了点Ｐ4の夫々に対応する第１座標データ、第２座標データ、第３座標データ、第４座標データ、第５座標データを有する（図１９参照）。図１８（ａ）に示すように、模様形状Ｆｂ〜Ｆｆも模様形状Ｆａと同じ正方形であり、模様形状Ｆｂ〜Ｆｆの切断ラインについても夫々模様形状Ｆａと同様の４つの線分からなる。また、模様形状Ｆｂ〜Ｆｆの座標値（第１座標データ〜第５座標データ）は、各模様形状Ｆａ〜Ｆｆが相互に離間して形成されるように設定されている。
【００７０】
模様形状Ｆｇの切断ラインは、図１７（ｃ）に示すように４つの線分ｇ１〜ｇ４からなり、切断開始点Ｐ0と切断終了点Ｐ4が一致する閉じた台形である。台形は、角の大きさが９０度に設定された頂点Ｐ０、Ｐ３をもち、模様形状Ｆｇの形状データとして、切断開始点Ｐ0、頂点Ｐ１、頂点Ｐ２、頂点Ｐ３、切断終了点Ｐ4に対応する第１座標データ〜第５座標データを有する。図１７（ａ）に示すように、他の模様形状Ｆｈ〜Ｆｌも模様形状Ｆｇと同じ台形であり、模様形状Ｆｈ〜Ｆｌの切断ラインについても夫々模様形状Ｆｇと同様の４つの線分からなる。また、模様形状Ｆｈ〜Ｆｌの座標値は、各模様形状Ｆｇ〜Ｆｌが相互に離間して形成されるように設定されている。
【００７１】
保持シート１０αには、保持シート１０ごとに予め設定された上記の模様形状をユーザが判別するための標識５９として「α」の文字が印刷されている。標識５９は、第１実施形態で説明したように、適宜変更が可能である。
保持シート１０α上の被切断物６において、例えばその全領域つまり被切断物６全体が、模様形状の切断が可能な切断可能領域とされる。前記配置データは、シート状をなす被切断物６の大きさに基づき設定された、切断可能領域を表わす領域データであって、配置基準となる原点データを含む。例えば、切断可能領域の隅（図１８（ａ）で左上側）が原点データに基づき特定されるＸＹ座標の原点Ｏ1（Ｘ0、Ｙ0）とされている。そして、制御回路６１は、領域データと形状データ（全体データ）に基づいて、模様形状Ｆａ〜Ｆｌを切断可能領域内で相互に離間させて配置するようになっている。
【００７２】
上記保持シート１０αを用いて被切断物６を切断する際の具体的な処理手順について、図２０、図２１も参照しながら説明する。
ユーザは、模様形状Ｆａ〜Ｆｌを切断する場合、それらの形状に対応する保持シート１０αを用意し、保持シート１０αの粘着層１０ａに被切断物６を貼り付ける。また、ユーザは、被切断物６を保持した保持シート１０αを、切断装置１の開口部２ａからセットする（ステップＳ３１）。これにより、ステップＳ３２では、セットされた保持シート１０αの無線タグ６０αに係る情報設定処理が行われる（図２１参照）。
【００７３】
即ち、制御回路６１は、タグリーダ／ライタ６６を介して、無線タグ６０αのメモリ部７３に記憶されている全体データ、切断順序データ、及び配置データを読み取って、ＲＡＭ６３の記憶領域に記憶させる（ステップＳ４２）。ここで、全体データについて、全ての模様形状Ｆａ〜Ｆｌの形状データがＲＡＭ６３の記憶領域に展開されると（ステップＳ４１にてＹｅｓ）、切断装置１で切断する模様形状が、無線タグ６０αに記憶されている全体データに基づいて自動的に設定される。また、この場合、制御回路６１は、領域データと全体データに基づいて、切断可能領域の隅を原点Ｏ1として模様形状Ｆａ〜Ｆｌを切断可能領域に対応させて配置する（図１８（ａ）参照）。これにより、無線タグ情報設定処理を終了する（図２０のステップＳ３３にリターンする）。
【００７４】
続いて、制御回路６１は、前記ステップＳ３２で切断可能領域に対応させて配置した模様形状Ｆａ〜Ｆｌと、模様形状Ｆａ〜Ｆｌの配置等を編集するか否かのメッセージとを液晶ディスプレイ９に表示する。そして、ユーザは、操作スイッチ６５の操作により、模様形状Ｆａ〜Ｆｌに係る編集を指示し（ステップＳ３３にてＹｅｓ）、ＲＡＭ６３に記憶された全体データ、切断順序データ、及び配置データを所望するデータに更新することができる（ステップＳ３４）。例えば、ユーザは、操作スイッチ６５を操作して、液晶ディスプレイ９に表示された切断可能領域における模様形状Ｆａ〜Ｆｌについて、位置の変更や拡大・縮小を行い、或は切断可能領域の中心を軸に回転させる。この場合、模様形状Ｆａ〜Ｆｌ全部の移動量、倍率、角度の値を入力することで、夫々の座標値を制御回路６１により演算するようにしてもよいし、模様形状Ｆａ〜Ｆｌの夫々の座標値を直接入力してもよい。これにより、模様形状Ｆａ〜Ｆｌを隙間なく並べるような配置変更を行って被切断物６の歩留りを高めたり、模様形状Ｆａ〜Ｆｌを所望の大きさに変更することができる。編集後の全体データは、ＲＡＭ６３の記憶領域に上書き更新される。また、ステップＳ３４では、操作スイッチ６５の操作により、配置データに含まれる原点データや、切断順序データを更新することで、模様形状Ｆａ〜Ｆｌの配置や切断順序を適宜変更することができる。
【００７５】
更に、制御回路６１は、前記ステップＳ３４で更新した各データを無線タグ６０αに書き込むか否かのメッセージを液晶ディスプレイ９に表示する。ここで、ユーザは、操作スイッチ６５の操作により、無線タグ６０αへの書き込みを指示することができる（ステップＳ３５にてＹｅｓ）。制御回路６１は、書き込みの指示を受けると、タグリーダ／ライタ６６を介して、無線タグ６０αの形状データ記憶領域７３５、切断順序データ記憶領域７３６、及び配置データ記憶領域７３７に、更新後の全体データ、切断順序データ、及び配置データを夫々書き込む（ステップＳ３６）。尚、前記ステップＳ３３又はステップＳ３５において、ユーザによる各データの更新又は書き込みの指示が無い場合（Ｎｏ）、上記したＲＡＭ６３のデータの更新及び無線タグ６０αへのデータ書き込みは行われない。また、図示は省略するが、第１実施形態と同様に、メモリ部７３とは別の第２メモリ部を無線タグ６０αに設け、更新後の全体データ、切断順序データ、及び配置データを第２メモリ部に夫々書き込むようにしてもよい。
【００７６】
こうして、切断装置１において切断する模様形状Ｆａ〜Ｆｌに係る各データが設定された状態で、操作スイッチ６５が操作されると、制御回路６１は、その操作信号に基づいて切断動作を開始する（ステップＳ３７）。ここで、制御回路６１は、ＲＡＭ６３の記憶領域を参照し、その記憶領域に記憶された全体データ、切断順序データ、及び配置データに基づいて、前記切断手段５８を制御する（ステップＳ３８）。
【００７７】
具体的には、切断可能領域に対して左上の隅を原点Ｏ1として配置した模様形状Ｆａ〜Ｆｌについて、夫々の形状データと切断順序データに基づき順次切断を実行する（図１８、図１９参照）。即ち、先ず第１移動手段７による保持シート１０α（被切断物６）のＹ方向への移動と、第２移動手段８によるカッタホルダ５のＸ方向への移動とにより、模様形状Ｆａの切断開始点Ｐ0のＸＹ座標へカッタ４を相対的に移動させる。次いで、第３移動手段４４によりカッタ４の刃先４ｃを被切断物６の切断開始点Ｐ0に貫通させて、第１移動手段７及び第２移動手段８により線分ａ１の終点Ｐ1の座標へ向けて相対的に移動させ、線分ａ１に沿って被切断物６を切断する。続く線分ａ２は、先の線分ａ１の終点Ｐ1を始点として、線分ａ１と同様の切断が連続的に実行される。こうして、線分ａ２〜ａ４についても、図１８（ｂ）に矢印で示す向きにカッタ４を相対移動させることで、模様形状Ｆａ、つまり「正方形」の切断ラインを切断する。これと同様に、模様形状Ｆｂ〜Ｆｆについても、夫々の形状データに基づいて模様形状Ｆｂの切断ライン、模様形状Ｆｃの切断ライン、…、模様Ｆｆの切断ラインの順に切断される。
【００７８】
また、模様形状Ｆｇは、切断開始点Ｐ0を始点として図１８（ｂ）に矢印で示す向きにカッタ４を相対移動させて、線分ｇ１〜ｇ４に沿って「台形」の切断ラインを切断する。これと同様に、模様形状Ｆｈ〜Ｆｌについても、夫々の形状データに基づいて模様形状Ｆｈの切断ライン、模様形状Ｆｉの切断ライン、…、模様形状Ｆｌの切断ラインの順に切断される。こうして、切断順序データに基づき、図１８（ａ）で最上段の模様形状Ｆａ〜Ｆｃから、順次下側の段の模様形状Ｆｄ〜Ｆｆ、Ｆｇ〜Ｆｉ、Ｆｊ〜Ｆｌが効率的に切断される。
【００７９】
被切断物６の切断が終了すると、ユーザは、保持シート１０αから被切断物６を剥がす。引き続き、切断装置１で模様形状Ｆａ〜Ｆｌを切断する場合には、新たに被切断物６を貼り替えた保持シート１０αを切断装置１にセットする。このとき、切断装置１では、切断する模様形状Ｆａ〜Ｆｌが、無線タグ６０αに記憶されている全体データに基づいて自動的に設定される。このため、ユーザは模様形状Ｆａ〜Ｆｌを選択したり、模様形状Ｆａ〜Ｆｌの配置や大きさ等を編集する手間を省くことができる。このように、切断装置１において、保持シート１０αを用いて切断を行うことで、毎回同じ模様形状Ｆａ〜Ｆｌを切断することができる。
【００８０】
模様形状は、上記した正方形や台形等の形状Ｆａ〜Ｆｌに限定するものではない。つまり、保持シート１０毎に様々な模様形状を無線タグ６０に記憶させ、切断する模様形状に応じて保持シート１０を使い分けるようにすればよい。尚、粘着層１０ａの粘着力が低下した保持シート１０αについては、第１実施形態と同様、当該保持シート１０αの無線タグ６０αを剥がして新品の保持シート１０に貼り付け、保持シート１０αとして直ぐに使用することができる。
【００８１】
以上のように保持シート１０αの無線タグ６０αには、所定の模様形状Ｆａ〜Ｆｌを切断するための形状データを含む切断情報が書き込まれている。これによれば、切断装置１で無線タグ６０αから読み取った形状データに基づき模様形状Ｆａ〜Ｆｌが切断される。このため、切断装置１に対して形状データを入力し、或は設定する手間を省くことができる。また、保持シート１０ごとに、同じ模様形状を繰り返し切断することができ、使い勝手のよいものとすることができる。
無線タグ６０αには、被切断物６に対して模様形状Ｆａ〜Ｆｌを配置する配置データを含む切断情報が書き込まれている。これによれば、無線タグ６０αから読み取った配置データに基づき被切断物６に対する模様形状Ｆａ〜Ｆｌの配置が決定される。このため、切断装置１に対して配置データを入力することなく、被切断物６の大きさに応じた切断可能領域内で模様形状Ｆａ〜Ｆｌを切断することができる。
【００８２】
無線タグ６０αには、複数の模様形状Ｆａ〜Ｆｌの切断順序を特定する切断順序データを含む切断情報が書き込まれている。これによれば、無線タグ６０αから読み取った切断順序データに基づいて、複数の模様形状Ｆａ〜Ｆｌの切断順序が特定されるため、切断装置１に切断順序データを入力する手間を省くことができる。特に、前記ステップＳ３４で模様形状Ｆａ〜Ｆｌ相互間の位置を変更した場合には、その変更後の模様形状Ｆａ〜Ｆｌの位置に応じた効率的な切断順序に設定することで、切断時間を短縮することが可能となる。
この他、前記書込手段によって、無線タグ６０αに更新した切断情報を書き込むことができる等、第１実施形態と同様の効果を奏する。
【００８３】
尚、本発明は上記しかつ図面に示す実施形態にのみ限定されるものではなく、次のように変形または拡張することができる。
本発明は、上記したカッティングプロッタとしての切断装置１に限られず、切断機能を備えた各種の装置にも適用できるものである。
無線タグ６０は、保持シート１０に両面粘着テープで着脱可能に貼着させていたが、両面粘着テープ以外の手段で装着するようにしてもよい。例えば、保持シート１０に無線タグ６０を取り外し可能に嵌め込む為の凹部を設けるようにしてもよい。
押圧手段は、ソレノイド５７に代えてモータ等の他のアクチュエータを用いて押圧部材を昇降させるように構成してもよい。
無線タグ６０のメモリ部７３に、カッタ圧情報記憶領域７３１、押え圧情報記憶領域７３２、速度情報記憶領域７３３及び補正情報記憶領域７３４と、形状データ記憶領域７３５、切断順序データ記憶領域７３６及び配置データ記憶領域７３７とを設けるようにしてもよい。これにより、切断装置１において、無線タグ６０αから読み取った切断パラメータや形状データ等に基づき所定の模様形状Ｆａ〜Ｆｌを適切な切断条件で確実に切断することができる。また、無線タグ６０の切断情報としては、切断パラメータと形状データとのうち少なくとも１つを含むように構成してもよい。
【符号の説明】
【００８４】
１    切断装置
４    カッタ（切断刃）
６    被切断物
１０    保持シート（保持部材）
１０ａ  粘着層
４７    押圧手段
５８    切断手段
６０    無線タグ
６１    制御手段
６６    タグリーダ／ライタ（読取手段、書込手段）
【図１】
2012213846.tif 000003
【図２】
2012213846.tif 000004
【図３】
2012213846.tif 000005
【図４】
2012213846.tif 000006
【図５】
2012213846.tif 000007
【図６】
2012213846.tif 000008
【図７】
2012213846.tif 000009
【図８】
2012213846.tif 000010
【図９】
2012213846.tif 000011
【図１０】
2012213846.tif 000012
【図１１】
2012213846.tif 000013
【図１２】
2012213846.tif 000014
【図１３】
2012213846.tif 000015
【図１４】
2012213846.tif 000016
【図１５】
2012213846.tif 000017
【図１６】
2012213846.tif 000018
【図１７】
2012213846.tif 000019
【図１８】
2012213846.tif 000020
【図１９】
2012213846.tif 000021
【図２０】
2012213846.tif 000022
【図２１】
2012213846.tif 000023